(57)【特許請求の範囲】
【請求項１】
監視エリアの物理的現象を検出して出力するセンサ部と、
警報音と警報表示により異常警報を出力する報知部と、
警報停止操作手段を備えた操作部と、
前記センサ部の検出出力による異常の有無及び前記操作部による停止操作を含むイベントを検出するイベント検出部と、
前記イベント検出部で検出したイベントを示すイベント信号を他の警報器へ送信する送信処理部と、
他の警報器からのイベント信号を受信する受信処理部と、
前記イベント検出部で異常を検出したときに、前記報知部からの警報音と警報表示により連動元を示す異常警報を出力させると共に、異常を示すイベント信号を他の警報器へ送信させ、一方、他の警報器からの異常を示すイベント信号を受信したときに、前記報知部からの警報音と警報表示により連動先を示す異常警報を出力させる警報処理部と、
を設けた警報器に於いて、
更に警報停止部を設け、前記警報停止部は、
前記連動元を示す異常警報の出力中に、前記操作部による警報停止操作を検出した場合及び他の警報器からの警報停止を示すイベント信号を受信した場合は、前記連動元を示す警報音を停止させると共に警報表示を継続させ、更に前記警報停止操作を検出した場合には、警報停止を示すイベント信号を他の警報器へ送信させ、
前記連動先を示す異常警報の出力中に、前記操作部による警報停止操作を検出した場合及び他の住警器からの警報停止を示すイベント信号を受信した場合は、前記連動先を示す警報音と警報表示を停止させ、更に、前記警報停止操作を検出した場合には、警報停止を示すイベント信号を他の警報器へ送信させることを特徴とする警報器。
【請求項２】
請求項１記載の警報器に於いて、前記警報停止部は、前記操作部の警報停止操作を検出したときに継続した連動元を示す警報表示を、所定時間後又は前記操作部の警報停止操作を再度検出したときに停止することを特徴とする警報器。
【請求項３】
請求項１記載の警報器に於いて、前記警報処理部は、連動元を示す警報表示と連動先を示す警報表示を異ならせたことを特徴とする警報器。
【請求項４】
請求項２記載の警報器に於いて、前記警報処理部は、連動元を示す警報表示の表示色と連動先を示す警報表示の表示色を異ならせたことを特徴とする警報器。
【請求項５】
警戒エリアに、異常を検出して警報音と警報表示により異常警報を出力する警報器を複数配置した警報システムに於いて、
前記警報器の各々に、警報処理部と警報停止部を設け、
前記警報処理部は、
異常を検出したときに、警報音と警報表示により連動元を示す異常警報を出力すると共に、異常信号を他の警報器へ送信し、
他の警報器から異常信号を受信したときに、警報音と警報表示により連動先を示す異常警報を出力し、
前記警報停止部は、
前記連動元を示す異常警報の出力中に、自己の警報停止操作を検出した場合及び他の警報器から警報停止信号を受信した場合は、前記連動元を示す警報音を停止すると共に警報表示を継続し、更に前記警報停止操作を検出した場合には、警報停止信号を他の警報器へ送信し、
前記連動先を示す異常警報の出力中に、自己の警報停止操作を検出した場合及び他の住警器から警報停止信号を受信した場合は、前記連動先を示す警報音と警報表示を停止し、更に、前記警報停止操作を検出した場合には、警報停止信号を他の警報器へ送信することを特徴とする警報システム。
【請求項６】
請求項５記載の警報システムに於いて、前記警報停止部は、前記警報停止操作を検出したときに継続した連動元を示す警報表示を、所定時間後又は前記警報停止操作を再度検出したときに停止することを特徴とする警報システム。
【請求項７】
請求項５記載の警報システムに於いて、連動元を示す警報表示の表示色と連動先を示す警報表示の表示色を異ならせたことを特徴とする警報システム。
【発明の詳細な説明】
【技術分野】
【０００１】
本発明は、火災やガス漏れなどの異常を検出して警報すると共に他の警報器に信号を送信して警報を連動出力させる警報器及び警報システムに関する。
【背景技術】
【０００２】
従来、住宅における火災を検出して警報する住宅用警報器（以下「住警器」という）が普及しており、近年にあっては、複数の住警器を相互に通信させ、１つの住警器の異常情報を他の警報器でも警報できる連動型警報システム向けの無線式住警器が実用化されており、これらの中には電池電源によって動作するものがある。
【０００３】
無線通信を行う連動型の警報システムにあっては、ある住警器で火災を検出した場合、火災を検出した連動元の住警器は、例えば「ウーウー火災警報器が作動しました  確認してください」との音声メッセージを出力し、一方、連動先の住警器では「ウーウー別の火災警報器が作動しました  確認してください」という音声メッセージを出力するようにしている。また、連動元の住警器の表示灯は点灯とし、連動先の住警器の表示灯は点滅とし、表示灯の表示からも連動元か連動先かが区別できるようにしている。
【０００４】
また、連動元と連動先の住警器で警報が行われた場合、住警器に設けている警報停止スイッチを操作すると、操作した住警器の警報を停止することができるようにしている。
【先行技術文献】
【特許文献】
【０００５】
【特許文献１】特開２００７−０９４７１９号公報
【発明の概要】
【発明が解決しようとする課題】
【０００６】
しかしながら、このような従来の連動警報を行う無線式の住警器にあっては、連動元と連動先の住警器で警報が行われた場合に、警報を停止したい場合には、住警器毎に警報停止操作を必要とし、警報停止操作が煩雑になるという問題がある。
【０００７】
この問題を解決するためには、任意の住警器で警報停止操作を行った場合、連動関係にある全ての住警器の警報を一斉に停止することも考えられるが、全ての警報を停止してしまうと、火災を検出した連動元の警報器がどれか分からず、消火後の火元の特定や、誤報又は非火災報を発した住警器の特定が困難になるという問題がある。
【０００８】
本発明は、火災などの異常を検出して連動元と連動先で行った警報の停止操作を容易にすると共に警報停止を行っても連動元が容易に分かるようにした警報器及び警報システムを提供することを目的とする。
【課題を解決するための手段】
【０００９】
（警報器）
本発明は、
監視エリアの物理的現象を検出して出力するセンサ部と、
警報音と警報表示により異常警報を出力する報知部と、
警報停止操作手段を備えた操作部と、
センサ部の検出出力による異常の有無及び操作部による停止操作を含むイベントを検出するイベント検出部と、
イベント検出部で検出したイベントを示すイベント信号を他の警報器へ送信する送信処理部と、
他の警報器からのイベント信号を受信する受信処理部と、
イベント検出部で異常を検出したときに、報知部からの警報音と警報表示により連動元を示す異常警報を出力させると共に、異常を示すイベント信号を他の警報器へ送信させ、一方、他の警報器からの異常を示すイベント信号を受信したときに、前記報知部からの警報音と警報表示により連動先を示す異常警報を出力させる警報処理部と、
を設けた警報器に於いて、
更に警報停止部を設け、警報停止部は、
連動元を示す異常警報の出力中に、操作部による警報停止操作を検出した場合及び他の警報器からの警報停止を示すイベント信号を受信した場合は、連動元を示す警報音を停止させると共に警報表示を継続させ、更に警報停止操作を検出した場合には、警報停止を示すイベント信号を他の警報器へ送信させ、
連動先を示す異常警報の出力中に、操作部による警報停止操作を検出した場合及び他の住警器からの警報停止を示すイベント信号を受信した場合は、連動先を示す警報音と警報表示を停止させ、更に、警報停止操作を検出した場合には、警報停止を示すイベント信号を他の警報器へ送信させることを特徴とする。
【００１０】
ここで、警報停止部は、操作部の警報停止操作を検出したときに継続した連動元を示す警報表示を、所定時間後又は操作部の警報停止操作を再度検出したときに停止する。
【００１１】
警報処理部は、連動元を示す警報表示と連動先を示す警報表示を異ならせる。また警報処理部は、連動元を示す警報表示の表示色と連動先を示す警報表示の表示色を異ならせる。
【００１２】
（システム）
本発明は、警戒エリアに、異常を検出して警報音と警報表示により異常警報を出力する警報器を複数配置した警報システムに於いて、
警報器の各々に、警報処理部と警報停止部を設け、
警報処理部は、
異常を検出したときに、警報音と警報表示により連動元を示す異常警報を出力すると共に、異常信号を他の警報器へ送信し、
他の警報器から異常信号を受信したときに、警報音と警報表示により連動先を示す異常警報を出力し、
警報停止部は、
連動元を示す異常警報の出力中に、自己の警報停止操作を検出した場合及び他の警報器から警報停止信号を受信した場合は、連動元を示す警報音を停止すると共に警報表示を継続し、更に警報停止操作を検出した場合には、警報停止信号を他の警報器へ送信し、
連動先を示す異常警報の出力中に、自己の警報停止操作を検出した場合及び他の住警器から警報停止信号受信を検出した場合は、連動先を示す警報音と警報表示を停止し、更に、警報停止操作を検出した場合には、警報停止信号を他の警報器へ送信することを特徴とする。
【発明の効果】
【００１３】
本発明によれば、火災などの異常を検出して複数の警報器で連動警報が行われた場合、警報を行っている任意の警報器で警報停止操作を行うと、連動元及び連動先の警報器で行っている警報音が一斉に停止し、一方、連動元の警報器にあっては、警報音は停止するが警報に伴う表示は継続され、これによって警報器毎での警報停止操作を不要とし、また警報停止操作で一斉に警報停止が行われても、連動元の警報器については、警報音は停止しても警報に伴う表示は継続されているため、消火後の火元の特定や、誤報又は非火災報を発した住警器の特定を容易に行うことができる。
【図面の簡単な説明】
【００１４】
【図１】本発明による無線式の住警器の外観を示した説明図
【図２】住宅に対する本発明の警報システムの設置状態を示した説明図
【図３】本実施形態における火災検出時の連動警報と警報停止操作後の連動警報を警示した説明図
【図４】本発明における異常検出時と警報停止操作時の警報内容を連動元と連動先に分けてリスト形式で示した説明図
【図５】図２の警報システムに設けた火災を検出して警報する住警器の実施形態を示したブロック図
【図６】本実施形態で使用するイベント信号のフォーマットを示した説明図
【図７】図５の住警器による火災監視処理を示したフローチャート
【図８】連動元と連動先の表示色を異ならせた無線式住警器の実施形態を示した説明図
【図９】図８の実施形態における火災検出時の連動警報と警報停止操作後の連動警報を警示した説明図
【発明を実施するための形態】
【００１５】
図１は本発明による無線式の住警器（住宅用火災警報器）の外観を示した説明図であり、図１（Ａ）に正面図を、図１（Ｂ）に側面図を示している。
【００１６】
図１において、本実施形態の住警器１０はカバー１２と本体１４で構成されている。カバー１２の中央には、周囲に煙流入口を開口し、その内部には検煙部１６が配置され、火災による煙が所定濃度に達したときに火災を検出するようにしている。
【００１７】
カバー１２に設けた検煙部１６の左下側には音響穴１８が設けられ、この背後にブザーやスピーカを内蔵し、警報音や音声メッセージを出力できるようにしている。検煙部１６の下側には警報停止スイッチ２０が設けられている。警報停止スイッチ２０は住警器の機能点検を指示する点検スイッチとしての機能を兼ねている。たとえば、火災警報時に警報停止スイッチ２０が操作されると警報を停止し、通常状態で警報停止スイッチ２０が操作されると機能点検を開始して結果を報知する。
【００１８】
警報停止スイッチ２０は、半透明部材で形成されたスイッチカバーと、スイッチカバーの内部に配置されたタクトスイッチ（図示せず）とで構成されている。スイッチカバー内部のタクトスイッチ近傍には、点線で示すように警報表示を行うＬＥＤ２２が配置されており、ＬＥＤ２２が点灯すると、警報停止スイッチ２０のスイッチカバーの部分を透過してＬＥＤ２２の点灯状態が外部から分かるようにしている。
【００１９】
また本体１４の裏側上部には取付フック１５が設けられており、設置する部屋の壁にビスなどをねじ込み、この取付フック１５をビスに通すことで、壁面に住警器１０を設置することができる。
【００２０】
なお図１の住警器１０にあっては、検煙部１６を備えた火災による煙を検出する住警器を例に取っているが、これ以外に火災による熱を検出するサーミスタ等の温度検出素子を備えた住警器や火災に伴うその他の物理現象を検出する住警器、火災以外にガス漏れを検出する警報器、侵入者や地震その他の異常を検出する各種の警報器、これらを組み合わせて成る警報器についても、本発明の対象に含まれる。
【００２１】
図２は住宅に対する本実施形態の警報システムの設置状態を示した説明図である。図２の例にあっては、住宅２４に設けられている台所、居間、主寝室、子供部屋のそれぞれに本実施形態の火災を検出して警報する住警器１０−１〜１０−４が設置され、更に屋外に建てられたガレージ２６にも住警器１０−５が設置されている。
【００２２】
住警器１０−１〜１０−５は、イベント信号を無線により相互に送受信する機能を備え、住宅全体の火災監視を行っている。
【００２３】
いま住宅２４の子供部屋で万一、火災が発生したとすると、住警器１０−４が火災を検出して警報を開始する。この火災を検出して警報を開始することを、住警器における「発報」という。住警器１０−４が発報すると、住警器１０−４は連動元として機能し、連動先となる他の住警器１０−１〜１０−３，１０−５に対し、火災発報を示すイベント信号を無線により送信する。他の住警器１０−１〜１０−３，１０−５、連動元の住警器１０−４からの火災発報を示すイベント信号を受信した場合に、警報音と警報表示により連動先としての警報動作を行う。
【００２４】
ここで連動元となった住警器１０−４の警報音としては、例えば音声メッセージにより「ウーウー  火災警報器が作動しました  確認してください」を出力する。一方、連動先の住警器１０−１〜１０−３，１０−５にあっては、「ウーウー  別の火災警報器が作動しました  確認してください」といった音声メッセージを出力する。
【００２５】
また連動元となった住警器１０−４の警報に伴う表示としては、例えばＬＥＤ２２を点灯させる。一方、連動先の住警器１０−１〜１０−３，１０−５にあっては、ＬＥＤ２２を点滅させる。これによって、連動元警報と連動先警報におけるＬＥＤ５０による警報表示を区別できるようにしている。
【００２６】
なお、連動元のＬＥＤ２２を点滅とし、連動先のＬＥＤ２２を点灯としても良いし、連動元警報と連動先警報のいずれについても、同じＬＥＤ２２の明滅または点滅、点灯表示であっても良い。
【００２７】
住警器１０−１〜１０−５が警報音を出している状態で、いずれかの警報停止スイッチ２０を操作すると、警報音は連動元と連動先について停止し、警報に伴う表示については、連動元が継続し、連動先が停止する停止処理が行われる。
【００２８】
図３は本実施形態における警報停止を示している。図３（Ａ）は連動関係にある住警器１０−１〜１０−５の中の住警器１０−１が火災を検出し、住警器１０−１が警報音とＬＥＤ２２をたとえば警報に伴う点灯表示により連動元を示す火災警報を行い、残りの住警器１０−２〜１０−５が警報音とＬＥＤ２２をたとえば警報に伴う点滅表示により連動先を示す火災警報を行っている。
【００２９】
この連動警報の状態で、連動元の住警器１０−１及び連動先の警報器１０−２〜１０−５のいずれかの警報停止スイッチ２０を操作すると、図３（Ｂ）に示すように、連動元の住警器１０−１で行っている警報音は停止するが、警報に伴う表示は少なくとも所定期間そのまま継続し、一方、連動先の住警器１０−２〜１０−５で行っている連動先を示す警報音と警報に伴う表示は全て停止するようにしている。
【００３０】
このとき、必ずしも点灯状態を維持するのではなく、短い時間の消灯の後に再度点灯しても良いし、また例えば点灯表示から点滅表示に移行するようにしても良いし、この点滅表示は連動先に於ける警報中の表示と同じであっても良い。警報停止操作後少なくとも所定期間、何らかの表示が行われていれば良い。
【００３１】
これによって連動警報が行われた場合、住警器１０−１〜１０−５の各設置場所に出向いて警報停止操作を行わなくとも、住警器１０−１〜１０−５の内の任意の住警器の警報停止操作で連動元と連動先の警報音を全て停止し、警報に伴う連動元の表示はそのままで、警報に伴う連動先の表示を全て停止することができ、停止操作が簡単且つ容易にできる。
【００３２】
また、任意の住警器警報停止操作を行っても、連動元の警報器１０−１におけるＬＥＤ２２のたとえば警報に伴う点灯表示は継続され、消火後の火元の特定や、誤報または非火災報を発した住警器の特定が簡単且つ確実にできる。
【００３３】
警報停止後に継続している連動元の住警器１０−１のＬＥＤ２２による警報表示は、タイマ設定で決まる所定時間経過、又は次の警報停止操作を検出したときに停止する。
【００３４】
図４は本発明における異常検出時と警報停止操作時の警報内容を連動元と連動先に分けてリスト形式で示した説明図である。
【００３５】
図４において、連動元と連動先の警報種別は、警報音と警報に伴う表示であり、異常検出時、連動元は連動元警報音と警報に伴う点灯表示を行う。また異常検出時、連動先は連動先警報音と警報に伴う点滅表示を行う。
【００３６】
この異常検出に基づく連動元および連動先の警報状態で、任意の住警器で警報停止スイッチ２０による警報停止操作が検出されると、連動元の警報音は停止し、警報表示はそのまま継続する。継続する警報表示は、点灯、点滅、明滅のいずれであっても良い。これに対し連動先は警報音と警報に伴う表示を停止する。
【００３７】
図５は図２の警報システムに設けた住警器の実施形態を示したブロック図であり、図２に示した５台の住警器１０−１〜１０−５につき、その内の住警器１０−１について回路構成を詳細に示している。他の住警器１０−２〜１０−５も同じ構成となる。
【００３８】
住警器１０−１と他の住警器１０−２〜１０−５を結ぶ矢印はそれぞれが相互に通信することを示しているが、たとえば住警器１０−２と住警器１０−３なども相互に通信させるようにしている。もちろん、住警器１０−１をシステムの親機として、図６の矢印の経路でのみ通信するようにしても、本発明を適用することが出来る。
【００３９】
住警器１０−１はワンチップＣＰＵとして知られたプロセッサ２８を備え、プロセッサ２８に対してはアンテナ３１を備えた無線通信部３０、記録回路部（メモリ）３２、センサ部３４、報知部３６、操作部３８及び電池電源４０を設けている。
【００４０】
無線通信部３０には送信回路４２と受信回路４４が設けられ、他の住警器１０−２〜１０−５との間でイベント信号を無線により送受信できるようにしている。無線通信部３０としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。
【００４１】
もちろん無線通信部３０としては、日本国内以外の場所については、その地域の割当無線局の標準規格に準拠した内容を持つことになる。
【００４２】
記憶部としてのメモリ２２には、イベント信号の順番を示す連続番号である連番４８、住警器を特定するＩＤ（識別子）となる送信元符号５０及び図２のように住宅の設置した住警器１０−１〜１０−５で連動警報を行う連動グループを構成するためのグループ符号５２が格納されている。
【００４３】
連番４８は警報器間の通信に於いてイベント信号の中継処理を管理するためのものであるが、本発明に直接関係しないので詳細な説明を省略する。
【００４４】
送信元符号５０としては、国内に提供される住警器の数を予測し、例えば同一符号として重複しないように２６ビットの符号コードが使用される。送信元符号５０としてはたとえば、住警器のシリアルナンバー等を用いる。
【００４５】
グループ符号５２は連動グループを構成する複数の住警器に共通に設定される符号であり、無線通信部３０で受信した他の住警器からのイベント信号に含まれるグループ符号がメモリ３２に登録しているグループ符号５２に一致したときに、このイベント信号を有効な信号として受信して処理することになるので、近隣の住宅等に設置された、連動を要しない他グループの警報器との混信を回避出来る。
【００４６】
センサ部３４には、煙を検出して信号を出力する検煙部１６を設けている。
【００４７】
センサ部３４には検煙部１６以外に、火災による温度を検出するサーミスタ等の温度検出素子や、火災に伴うその他の物理現象変化を検出する各種素子を設けてもよい。
【００４８】
報知部３６には警報音を出力するスピーカ５８と警報に伴う表示を行うＬＥＤ２２が設けられている。スピーカ５８は、図示しない音声合成回路部からの音声メッセージや警報音を出力する。ＬＥＤ２２は点滅や明滅、点灯などにより、火災などの異常を表示する。スピーカ４８に代えて、ブザー等を用いても良い。
【００４９】
操作部３８には警報停止スイッチ２０が設けられている。警報停止スイッチ２０は、報知部３６からスピーカ４８により警報音又はＬＥＤ２２により警報に伴う表示を行っているときにのみ警報停止スイッチとして有効となる。連動元を示す警報音出力中に警報停止スイッチ２０を操作すると、警報音は停止され警報に伴う表示はそのまま継続され、一方、連動先を示す警報中に警報停止スイッチ２０を操作すると、警報音は停止し、警報に伴う表示も停止する。
【００５０】
一方、連動元または連動先を示す火災警報を行っていない通常監視状態で警報停止スイッチ２０は点検スイッチとして機能し、この状態で点検スイッチを押すと、所定の点検動作が実行されて報知部３６から点検結果を示す音声メッセージなどが出力される。
【００５１】
電池電源４０は、例えば所定セル数のリチウム電池やアルカリ乾電池を使用しており、電池容量としては住警器１０−１における無線通信部３０を含む回路部全体の低消費電力化により、例えば１０年の電池寿命を保証している。
【００５２】
プロセッサ２８にはプログラムの実行により実現される機能として、イベント検出部６０、送信処理部６２、受信処理部６４、警報処理部６６及び警報停止部６８が設けられている。
【００５３】
イベント検出部６０は、センサ部３４による異常検出、操作部２８による警報停止、センサ部３４の異常検出がなくなる異常復旧を含むイベントを検出する。
【００５４】
送信処理部６２は、イベント検出部６０によりセンサ部３４による異常検出、操作部３８による警報停止、センサ部３４の異常検出がなくなる異常復旧を含む自己のイベントを検出したときに、検出イベントを示すイベント信号を連動先の住警器に送信させる。受信処理部６４は、住警器１０−２〜１０−５からのイベント信号を受信して解読する。
【００５５】
警報処理部６６は、イベント検出部６０で自己の異常として火災を検出したときにスピーカ５８から連動元を示す警報音を出力すると共に、ＬＥＤ２２を駆動して連動元を示す表示を行い、更に、火災発報を示すイベント信号を他の住警器に送信する。
【００５６】
具体的に説明すると、警報処理部６６は、センサ部３４からの煙検出信号に基づいてイベント検出部６０で火災を検出したときに、報知部３６のスピーカ５８から連動元を示す警報音例えば「ウーウー  火災警報器が作動しました  確認してください」を繰り返し出力させると共に、ＬＥＤ２２を明滅して連動元を示す警報表示を行い、更に、火災発報を示すイベント信号を無線通信部３０の送信回路４２によりアンテナ３１から他の住警器１０−２〜１０−５に向けて送信させる。
【００５７】
また警報処理部６６は、他の住警器１０−２〜１０−５のいずれかから火災を示すイベント信号を無線通信部３０の受信回路４４により受信し、受信処理部６４で有効となったときに、報知部３６のスピーカ５８から連動先を示す警報音例えば「ウーウー  別の火災警報器が作動しました  確認してください」となる警報音を繰り返し出力させ、同時にＬＥＤ２２を点滅して連動先を示す表示を行う。
【００５８】
警報停止部６８は、連動元を示す異常警報音の出力中に操作部３８に設けた警報停止スイッチ２０の警報停止操作を検出した場合、連動元を示すスピーカ５８からの警報音例えば「ウーウー  火災警報器が作動しました  確認してください」を停止すると共にＬＥＤ２２の点灯による警報表示を継続させ、更に、他の住警器１０−２〜１０−５に警報停止を示すイベント信号を送信する。
【００５９】
また、警報停止部６８は、連動元を示す異常警報音の出力中に他の住警器からの警報停止を示すイベント信号受信を検出した場合、同様に、連動元を示すスピーカ５８からの警報音例えば「ウーウー  火災警報器が作動しました  確認してください」を停止すると共にＬＥＤ２２の点灯による警報表示を継続させる。
【００６０】
また、警報停止部６８は、自己の警報停止操作又は他の住警器からの警報停止を示すイベント信号受信の検出で継続した連動元を示す警報に伴う表示を、所定時間経過又は自己の警報停止操作を検出したときに停止する。
【００６１】
また警報停止部６８は、連動先を示す異常警報音の出力中に他の住警器からの警報停止を示すイベント信号受信を検出した場合、連動先を示すスピーカ５８からの警報音例えば「ウーウー  別の火災警報器が作動しました  確認してください」と、ＬＥＤ２２の警報に伴う点滅表示を停止する。
【００６２】
図６は本実施形態で使用するイベント信号のフォーマットを示した説明図である。図６において、イベント信号４６は連番４８、送信元符号５０、グループ符号５２及びイベント符号５４で構成されている。
【００６３】
連番４８はイベント信号の順番を示す連続番号であり、イベント信号を送信する毎に１つずつ増加させる。また、連番４８は住警器１０−１〜１０−５の各々で非同期に生成している。連番４８は警報器間の通信に於いてイベント信号の中継処理を管理するためのものであるが、本発明に直接関係しないので詳細な説明を省略する。
【００６４】
送信元符号５０は例えば２６ビットの符号である。グループ符号５２は例えば８ビットの符号であり、同一グループを構成する例えば図１の住警器１０−１〜１０−５につき同じグループ符号が設定されている。
【００６５】
なおグループ符号５２としては、同一グループの住警器に同一のグループ符号を設定する以外に、予め定めたグループを構成する住警器に共通な基準符号と、各住警器に固有な送信元符号との演算から求めた住警器ごとに異なるグループ符号であってもよい。
【００６６】
イベント符号５４は、火災、ガス漏れなどのイベント内容を表す符号であり、本実施形態にあっては３ビット符号を使用しており、例えば「００１」で火災、「０１０」でガス漏れ、「０１１」で盗難、「１００」で警報停止、「１０１」で復旧、残りをリザーブとしている。なおイベント符号５４のビット数は、更に４ビット、５ビットと増加させることで、更に多くのイベント内容を表すことができる。
【００６７】
図７は図４の住警器１０−１における火災監視処理の一例を示したフローチャートであり、プロセッサ２８のプログラムの実行による処理となる。
【００６８】
図７において、火災監視処理は、ステップＳ１で火災発生を監視しており、センサ部３４から出力された煙検出信号が所定の火災レベルを超えると火災発生を判別してステップＳ２に進み、連番、送信元符号、グループ符号、火災を示すイベント符号を含むイベント信号を他の住警器に無線により送信した後、ステップＳ３でスピーカ５８からの警報音とＬＥＤ２２の点灯による表示とにより連動元を示す火災警報を出力する。
【００６９】
続いて、ステップＳ４でセンサ部３４からの煙検出信号が低下して火災がなくなる火災復旧の有無を判別しており、火災が継続している場合はステップＳ５で警報停止スイッチ２０による警報停止操作の有無を判別し、警報停止操作が無ければステップＳ６で他の住警器からの警報停止のイベント信号受信の有無を判別する処理を繰り返している。なお、火災の継続中にあっては、所定時間毎に火災を示すイベント信号の送信を繰り返している。
【００７０】
ステップＳ４〜Ｓ６の処理サイクル中に、センサ部３４からの煙検出信号が低下し火災がなくなるとステップＳ４で火災復旧が判別され、ステップＳ７で連番、送信元符号、グループ符号、火災復旧を示すイベント符号を含むイベント信号を他の住警器に送信し、ステップＳ９に進んで連動元を示す警報音を停止し、警報に伴う表示は継続させる。なお、ステップＳ９で連動元の警報音を停止して警報に伴う表示を継続させる代わりに、ステップＳ１１へ進んで連動元の警報音と警報に伴う表示を停止して通常の監視状態に戻るようにしても良い。
【００７１】
またステップＳ５で警報停止スイッチ２０による自己の警報停止操作を判別するとステップＳ８に進んで連番、送信元符号、グループ符号、警報停止を示すイベント符号を含むイベント信号を他の住警器に送信し、ステップＳ９に進んで連動元を示すスピーカ５８からの警報音を停止し、ＬＥＤ２２の警報に伴う点灯表示をそのまま継続する。
【００７２】
またステップＳ６で他の住警器から警報停止イベント信号の受信を判別すると、ステップＳ９に進んで連動元を示すスピーカ５８からの警報音を停止し、ＬＥＤ２２の警報に伴う点灯表示をそのまま継続する。
【００７３】
ステップＳ９で自己の警報停止操作または他の住警器からの警報停止を示すイベント信号受信で継続している連動元を示す表示は、この実施形態にあっては、ステップＳ１０で所定時間の経過を判別したときにステップＳ１１に進んで連動元を示す警報音と警報表示を停止する。
【００７４】
なお、ステップＳ１０のタイマ設定による所定時間経過の代わりに、警報停止スイッチ２０による警報停止操作を検出した場合に、連動元を示す警報表示を停止しても良い。
【００７５】
一方、ステップＳ１で火災でなかった場合には、ステップＳ１２で他の住警器からのイベント信号受信の有無を判別している。他の住警器からの火災を示すイベント信号受信を判別すると、ステップＳ１３に進んで連動先を示す火災警報としてスピーカ５８からの警報音とＬＥＤ２２の点滅による表示を行う。
【００７６】
次にステップＳ１４で他の住警器からの異常（火災）復旧を示すイベント信号受信の有無を判別しており、異常復旧を示すイベント信号を受信すると、ステップＳ１５に進んで連動先を示すスピーカ５８からの警報音とＬＥＤ２２の点滅表示を停止する。
【００７７】
ステップＳ１４で異常復旧を示すイベント信号受信がない場合には、ステップＳ１６で他の住警器からの警報停止を示すイベント信号の受信の有無をチェックしており、警報停止を示すイベント信号の受信を判別すると、ステップＳ１８に進んで連動先を示すスピーカ５８からの警報音とＬＥＤ２２の点滅による表示を停止する。
【００７８】
ステップＳ１６で警報停止を示すイベント信号受信がない場合には、ステップＳ１７で警報停止スイッチ２０による警報停止操作の有無を判別しており、警報停止操作を判別すると、
ステップＳ１８で連番、送信元符号、グループ符号、警報停止を示すイベント符号を含むイベント信号を他の住警器に送信した後、ステップＳ１９に進んで連動先を示すスピーカ５８からの警報音とＬＥＤ２２の点滅による表示を停止する。
【００７９】
図８は連動元の表示色と連動先の表示色を異ならせた本発明による無線式の住警器の他の実施形態を示した説明図である。
【００８０】
図８において、住警器１０はカバー１２とその背後の本体で構成され、カバー１２の中央には、周囲に煙流入口を開口し、その内部には検煙部１６が配置され、検煙部１６の左下側には音響穴１８が設けられ、検煙部１６の下側には警報停止スイッチ２０が設けられている。
【００８１】
警報停止スイッチ２０は、半透明部材で形成されたスイッチカバーの内部にタクトスイッチ（図示せず）を配置しており、スイッチカバー内部のタクトスイッチ近傍には、点線で示すように、連動元の警報表示を行う赤色ＬＥＤ２２ａと、連動先の警報表示を行う黄色ＬＥＤ２２ｂが配置されており、赤色ＬＥＤ２２ａまたは黄色ＬＥＤ２２ｂが点灯すると、警報停止スイッチ２０のスイッチカバーの部分を透過して点灯状態が外部から分かるようにしている。それ以外の構成は図１の実施形態と同じである。
【００８２】
また図８の住警器の回路構成も基本的に図５のブロック図と同じであり、報知部３６に図９に示したように連動元の警報表示を行う赤色ＬＥＤ２２ａと黄色ＬＥＤ２２ｂを設けた点で相違している。本実施形態では、赤色ＬＥＤ２２ａと黄色ＬＥＤ２２ｂを別々に設けた場合を示しているが、赤色ＬＥＤと黄色ＬＥＤを一体に備えた２色ＬＥＤを使用しても良い。
【００８３】
図９は図８の実施形態における警報停止を示している。図９（Ａ）は連動関係にある住警器１０−１〜１０−５の中の住警器１０−１が火災を検出し、住警器１０−１が警報音と赤色ＬＥＤ２２ａをたとえば警報に伴う点灯表示により連動元を示す火災警報を行い、残りの住警器１０−２〜１０−５が警報音と黄色ＬＥＤ２２ｂをたとえば警報に伴う点灯表示により連動先を示す火災警報を行っている。
【００８４】
なお赤色ＬＥＤ２２ａによる警報表示により連動元を示す火災警報と、黄色ＬＥＤ２２ｂによる警報表示により連動先を示す火災警報は、点灯以外に点滅又は明滅としても良い。
【００８５】
この連動警報の状態で、連動元の住警器１０−１及び連動先の警報器１０−２〜１０−５のいずれかの警報停止スイッチ２０を操作すると、図９（Ｂ）に示すように、連動元の住警器１０−１で行っている警報音は停止するが、警報に伴う赤色ＬＥＤ２２ａの点灯表示は少なくとも所定期間そのまま継続し、一方、連動先の住警器１０−２〜１０−５で行っている連動先を示す警報音と警報に伴う黄色ＬＥＤ２２ｂの点灯表示は全て停止するようにしている。
【００８６】
このとき、連動元を示す警報表示については、必ずしも赤色ＬＥＤ２２ａの点灯状態を維持するのではなく、短い時間の消灯の後に再度点灯しても良いし、また例えば点灯表示から点滅表示に移行するようにしても良い。赤色ＬＥＤ２２ａにより連動元を示す表示は、警報停止操作後少なくとも所定期間、何らかの表示が行われていれば良い。
【００８７】
これによって連動警報が行われた場合、住警器１０−１〜１０−５の各設置場所に出向いて警報停止操作を行わなくとも、住警器１０−１〜１０−５の内の任意の住警器の警報停止操作で連動元と連動先の警報音を全て停止し、警報に伴う赤色ＬＥＤ２２ａによる連動元の表示はそのままで、警報に伴う黄色ＬＥＤ２２ｂによる連動先の表示を全て停止することができ、停止操作が簡単且つ容易にできる。
【００８８】
また、任意の住警器警報停止操作を行っても、連動元の警報器１０−１における赤色ＬＥＤ２２ａのたとえば警報に伴う点灯表示は継続され、消火後の火元の特定や、誤報または非火災報を発した住警器の特定が簡単且つ確実にできる。
【００８９】
警報停止後に継続している連動元の住警器１０−１の赤色ＬＥＤ２２ａによる警報表示は、タイマ設定で決まる所定時間経過、又は次の警報停止操作を検出したときに停止する。
【００９０】
なお上記の実施形態は火災を検出して警報する住警器を例にとるものであったが、ガス漏れ警報器、ＣＯ警報器、各種の防犯用警報器を配置した警報システムについても同様に適用できる。
【００９１】
また上記の実施形態におけるフローチャートは処理の概略例を説明したもので、処理の順番等はこれに限定されない。また各処理や処理と処理の間に必要に応じて遅延時間を設けたり、他の判定を挿入する等が出来る。
【００９２】
また上記の実施形態で述べた「受信がある」、「受信が無い」、「受信した場合」、「受信を判別」等は、受信した信号が有効なものとして認識されたか否かの判定も含んでいる。
【００９３】
また、上記の実施形態では、電池電源によって動作する住警器を例に取ったが、電池電源以外の電源で動作するものにも本発明を適用できる。
【００９４】
また、警報器の規格等によっては、上記実施形態のＬＥＤによる表示が「警報」と認められない場合があるが、本発明では規格上「警報」に含まれるか否かに関わらず、警報表示、警報に伴う表示、または単に表示として記載している。本発明の目的を達成できるものであれば、どのような表示手段を用いても構わない。そして、表示部は警報器と別体に設けられていても良い。
【００９５】
また上記の実施形態では、連動元を赤色表示とし、連動先を黄色表示としているが、任意の異なる表示色により連動元と連動先を表示しても良い。またＬＥＤ２２ａ、２２ｂは多色ＬＥＤで共用としても良い。
【００９６】
また図１のように単一のＬＥＤ２２を設けた場合、同じ色の表示であるが、色の明るさを変えて連動元と連動先を表示するようにしても良い。
【００９７】
また、上記の実施形態は住宅用に限らずビルやオフィス用など各種用途の警報器にも適用できる。
【００９８】
また、上記の実施形態は警報器にセンサ部と警報出力処理部を一体に設けた場合を例にとるが、他の実施形態として、センサ部と警報出力処理部を別体とした警報器であっても良い。
【００９９】
また本発明は上記の実施形態に限定されず、その目的と利点を損なうことのない適宜の変形を含み、更に上記の実施形態に示した数値による限定は受けない。
【符号の説明】
【０１００】
１０，１０−１〜１０−５：住警器
１２：カバー
１４：本体
１５：取付フック
１６：検煙部
１８：音響孔
２０：警報停止スイッチ
２２：ＬＥＤ
２４：住宅
２６：ガレージ
２８：ＣＰＵ
３１：アンテナ
３０：無線通信部
３２：メモリ
３４：センサ部
３６：報知部
３８：操作部
４０：電池電源
４２：送信回路
４４：受信回路
４６：イベント信号
４８：連番
５０：送信元符号
５２：グループ符号
５４：イベント符号
５８：スピーカ
６０：イベント検出部
６２：送信処理部
６４：受信処理部
６６：警報処理部
６８：警報停止部
【図１】
0005507929.tif 000002
【図２】
0005507929.tif 000003
【図３】
0005507929.tif 000004
【図４】
0005507929.tif 000005
【図５】
0005507929.tif 000006
【図６】
0005507929.tif 000007
【図７】
0005507929.tif 000008
【図８】
0005507929.tif 000009
【図９】
0005507929.tif 000010